(57)【要約】【課題】一体感の高い植栽を、手間をかけずに形成でき、且つ、植栽内への人の立ち入りによる悪影響が発生し難いようにする。【解決手段】植栽設置面Ｒ上に、複数のトレーＡを並設し、植栽物２を育成自在な植栽部３を各トレーＡ内に設けてある植栽設置構造において、トレーＡの敷設部に、人が乗ることのできる踏み面部４ｃ，１２ｂ，１３ａ，２４ｃを設けてある。【選択図】　　　　図１
2004016015.tif 000002
【特許請求の範囲】
【請求項１】
植栽設置面上に、複数のトレーを並設し、植栽物を育成自在な植栽部を各トレー内に設けてある植栽設置構造であって、
前記トレーの敷設部に、人が乗ることのできる踏み面部を設けてある植栽設置構造。
【請求項２】
前記踏み面部は、前記トレーに一体に形成してある請求項１に記載の植栽設置構造。
【請求項３】
前記踏み面部は、前記トレー内に、踏み面形成部材を配置して形成してある請求項１に記載の植栽設置構造。
【請求項４】
前記踏み面部は、前記トレーを植栽設置面に固定する固定具と一体に形成してある請求項１に記載の植栽設置構造。
【請求項５】
前記踏み面部は、隣接する複数のトレーどうしを連結する連結具と一体に形成してある請求項１に記載の植栽設置構造。
【請求項６】
前記踏み面部は、前記トレーの周壁より高い位置に配置してある請求項１〜５の何れか一項に記載の植栽設置構造。
【請求項７】
前記踏み面部は、前記トレーの敷設部で、隣接するもの同士が、少なくとも人が歩行可能な間隔に配置してある請求項１〜６の何れか一項に記載の植栽設置構造。
【発明の詳細な説明】
【０００１】
【発明の属する技術分野】
本発明は、植栽設置面上（例えば、屋上や屋根上）に、複数のトレーを並設し、植栽物を育成自在な植栽部（例えば、土や植栽マットで構成してあり、芝や草木やセダム植物等を生育させる部分）を各トレー内に設けてある植栽設置構造に関する。
【０００２】
【従来の技術】
従来、屋上緑化を図るような場合、一般的には、図１８に示すように、屋上Ｒに防根シート５０を敷設し、その上に土５１を盛り上げて植栽部５２とした植栽設置構造（以下、単に▲１▼構造と言う）を採用することが多く、この植栽部５２に植栽物２を植えて屋上緑化を図っている。
また、小規模な花壇等を造るものとしては、図１９に示すように、プランター５３等を複数用意して、それらを屋上Ｒに並べるといった植栽設置構造（以下、単に▲２▼構造と言う）もあった。
【０００３】
【発明が解決しようとする課題】
上述した従来の▲１▼構造によれば、屋上の広い範囲を緑化することが可能であるという特徴がある一方、植栽を形成するにあたり、防根シートを敷設したり、その上に土を盛り上げる等、繁雑な作業が必要となり形成に手間がかかり易い問題点がある。また、広い範囲に植栽を設置した場合、メンテナンス等の作業の際、植栽部に人が入って実施することとなり、植栽物を足で傷める危険性があると共に、メンテナンス作業の足場状況がわるい分、作業が捗り難い問題点がある。
また、上述した従来の▲２▼構造によれば、各プランターの横には、人が移動できる通路を確保する必要があり、その分、植栽部分の一体感が減少し、美観上好ましくないという問題点がある。
【０００４】
従って、本発明の目的は、上記問題点を解消し、一体感の高い植栽を、手間をかけずに形成でき、且つ、植栽内への人の立ち入りによる悪影響が発生し難い植栽設置構造を提供するところにある。
【０００５】
【課題を解決するための手段】
請求項１の発明の特徴構成は、図１〜５、図８〜１３、図１６、図１７に例示するごとく、植栽設置面Ｒ上に、複数のトレーＡを並設し、植栽物２を育成自在な植栽部３を各トレーＡ内に設けてある植栽設置構造において、前記トレーＡの敷設部に、人が乗ることのできる踏み面部４ｃ，１２ｂ，１３ａ，２４ｃを設けてあるところにある。
【０００６】
請求項１の発明の特徴構成によれば、植栽部を備えたトレーを用いているから、植栽設置面上にそれらの多数のトレーを並べて設置するだけで、一体感の高い植栽を、簡単に形成することが可能となる。そして、トレーの敷設部に踏み面部を設けてあるから、前記踏み面部に人が乗ることができ、植栽部の植栽物に悪影響を及ぼすこと無く植栽部に立ち入ることが可能となる。従って、植栽部のメンテナンス等の作業も、植栽物を気にすることなく効率よく実施することが可能となる。
また、トレーによって異なる種類の植栽物を植え分けたり、又は、それらトレーの配置を変更したり、新たな植栽物を植えたトレーを追加したりすることが各トレー単位で簡単にできるから、植栽部の模様替え等の作業を手間をかけずに簡単且つ迅速に実施することが可能となる。
【０００７】
請求項２の発明の特徴構成は、図１〜５、図１６に例示するごとく、前記踏み面部４ｃは、前記トレーＡに一体に形成してあるところにある。
【０００８】
請求項２の発明の特徴構成によれば、請求項１の発明による作用効果を叶えることができるのに加えて、トレーと踏み面部とを一緒に取り扱うことができるから、植栽部の形成の際に、トレーを所定の配置で敷設していくだけで踏み面部の設置も合わせて実施することができ、植栽設置作業をスピーディーに行うことができる。この効果は、植栽部の設置のみならず、撤去、メンテナンス作業等においても同様に発揮することができ、これらの作業の効率化を図ることが可能となる。
また、例えば、トレーと踏み面部とを合成樹脂等の材料で形成する場合には、一体成型法によって形成すれば、材料のコストダウンを図ることが可能となる。そして、トレー内を踏み面部範囲と、それ以外の植栽物植え付け範囲とに平面的に分割するように形成する場合には、植栽物植え付け範囲のみに植栽物を植え付けておけばよいから、必要最小限の植栽物を植え付けるだけでよく、植え付け手間の低減、及び、植栽物そのものの材料コストの低減を図ることが可能となる。
【０００９】
請求項３の発明の特徴構成は、図８、図９、図１７に例示するごとく、前記踏み面部２４ｃは、前記トレーＡ内に、踏み面形成部材Ｄを配置して形成してあるところにある。
【００１０】
請求項３の発明の特徴構成によれば、請求項１の発明による作用効果を叶えることができるのに加えて、前記踏み面部は、前記トレー内に、踏み面形成部材を配置して形成してあるから、トレーの本体と、踏み面形成部材とを別々に形成してから一体化することが可能となる。従って、トレーと踏み面形成部材とを、それぞれの用途に適した物性を備えた別々の材料で形成して、それぞれの部位での機能追求を図ることが可能となる。例えば、踏み面形成部材は、人が乗った際に滑り難くしておく必要があることから、レンガ材やモルタル材等のように、吸水することで表面が濡れたままになり難い素材を使用したり、トレーの本体は、成形性の良さや、軽くて取扱性の良さ等から合成樹脂を使用したりすることが一例として挙げられる。
【００１１】
請求項４の発明の特徴構成は、図１２、図１３に例示するごとく、前記踏み面部１３ａは、前記トレーＡを植栽設置面Ｒに固定する固定具５と一体に形成してあるところにある。
【００１２】
請求項４の発明の特徴構成によれば、請求項１の発明による作用効果を叶えることができるのに加えて、前記トレーを植栽設置面に固定すべく前記固定具を植栽設置面に取り付けるだけで、前記踏み面部も同時にセットすることが可能となり、植栽部の設置手間を軽減することが可能となる。また、固定具には、トレーを植栽設置面に固定する充分な固定力が要求される一方、前記踏み面部には、人の荷重を充分に支持できる支持力が要求され、これら両者を強度の高い一体物として形成することができ、強度上の信頼性を向上させることが可能となる。
【００１３】
請求項５の発明の特徴構成は、図１０、図１１に例示するごとく、前記踏み面部１２ｂは、隣接する複数のトレーＡどうしを連結する連結具１２と一体に形成してあるところにある。
【００１４】
請求項５の発明の特徴構成によれば、請求項１の発明による作用効果を叶えることができるのに加えて、植栽設置面上に設置した前記各トレーどうしを連結する連結具を、隣接するトレーに取り付けるだけで、前記踏み面部も同時にセットすることが可能となり、植栽部の設置手間を軽減することが可能となる。また、連結具には、トレーどうしを連結する充分な連結力が要求される一方、前記踏み面部には、人の荷重を充分に支持できる支持力が要求され、これら両者を強度の高い一体物として形成することができ、強度上の信頼性を向上させることが可能となる。
【００１５】
請求項６の発明の特徴構成は、図８、図１０〜１３、図１７に例示するごとく、前記踏み面部４ｃ，１２ｂ，１３ａ，２４ｃは、前記トレーＡの周壁より高い位置に配置してあるところにある。
【００１６】
請求項６の発明の特徴構成によれば、請求項１〜５の何れかの発明による作用効果を叶えることができるのに加えて、トレーの周壁は、踏み面部より低い位置に配置されているから、踏み面部に人が乗る際に、前記周壁が邪魔になり難く、例えば、躓いたりするようなことを防止し易い。また、水やり等でトレーの中の水面が一時的に上がった状態でも、踏み面部上面に水が溢れて残っている状態は避けやすく、水で滑ると言ったことも防止し易い。
【００１７】
請求項７の発明の特徴構成は、図１、図５、図９に例示するごとく、前記踏み面部４ｃ，１２ｂ，１３ａ，２４ｃは、前記トレーＡの敷設部で、隣接するもの同士が、少なくとも人が歩行可能な間隔に配置してあるところにある。
【００１８】
請求項７の発明の特徴構成によれば、請求項１〜６の何れかの発明による作用効果を叶えることができるのに加えて、植栽部の中を移動する際に、隣接する各踏み面部の上を歩行することが可能となるから、植栽部を踏み荒らしたりすることなくメンテナンスや植栽物の植え付け等の作業を実施することが可能となる。
即ち、植栽部の維持管理性を向上させることが可能となる。
【００１９】
尚、上述のように、図面との対照を便利にするために符号を記したが、該記入により本発明は添付図面の構成に限定されるものではない。
【００２０】
【発明の実施の形態】
以下に本発明の実施の形態を図面に基づいて説明する。尚、図面において従来例と同一の符号で表示した部分は、同一又は相当の部分を示している。
【００２１】
図１は、当該発明の植栽設置構造について、その一実施形態（植栽を備えた建物Ｂ）を示すものである。
本実施形態の建物Ｂは、鉄筋コンクリート造で、その屋上（植栽設置面に相当）Ｒは、陸屋根として構成してある。
そして屋上Ｒには、植栽ゾーンＳを設けて屋上緑化を図ってある。
【００２２】
屋上Ｒの説明をすると、図１・２に示すように、屋上スラブＢ１上に防水層１を設けて構成してある。
前記防水層１は、例えば、シート防水等によって施工された防水層で、前記屋上スラブＢ１と一体的に設けられている。
【００２３】
そして、前記植栽ゾーンＳは、防水層１上に、植栽物（例えば、草や木等）２を生育させる植栽部３を備えた複数の植栽用トレー（以後、単にトレーという）Ａを縦横に並設して構成してある。
【００２４】
前記植栽部３について説明すると、排水層となる排水マット３Ａと、植栽物２の植付層となる植栽マット３Ｂとを積層させて構成してあり、前記トレーＡの内空部に、これらマット３Ａ・３Ｂを積層する状態に収納配置して構成してある。
【００２５】
前記排水マット３Ａは、合成樹脂製の繊維を絡ませてマット状に成形したもので、各繊維間の隙間を通して、植栽部３の余剰水を、トレーＡの排水孔ｈからトレー外部に排水できるように構成してある。
一方、前記植栽マット３Ｂは、合成樹脂製の繊維を絡ませてマット状に成形した本体３Ｂａと、その本体３Ｂａの下面部分に一体に形成した合成樹脂製のフィルタ３Ｂｂと、前記本体３Ｂａの空間に詰めた客土３Ｂｃとを備えて構成してある。そして、客土３Ｂｃには、例えば、乾燥状態や貧栄養状態でも生育するセダム類等の植栽物２を植生してある。
因みに、前記客土３Ｂｃは、火山砂利やセラミックス系のもの等を使用すれば、乾燥・貧栄養条件を維持しやすく、雑草の侵入を抑制した状態で前記セダム類の生育環境を最適化することが可能となる。
【００２６】
以下に、トレーＡ、及び、そのトレーＡによって形成した植栽構造について説明するが、異なる形態である第１から第４までの各実施形態を示す。
【００２７】
−第１実施形態−
図３に第１実施形態による植栽構造に使用されるトレーＡが示されている。このトレーＡは、底面部４ａと、この底面部４ａの外周から立設された側面部４ｂとを備えたトレー本体４によって構成してある。
【００２８】
図３〜５に示すように、トレー本体４は、平面視での四隅が面取りしてある略正方形に形成してある。そして、前記底面部４ａ（又は側面部４ｂ、又は、両方４ａ，４ｂ）には、前記植栽部３からの水をトレー外部に排出する排水孔ｈを形成してある。
また、略正方形の平面における一つの隅部分には、図に示すように、前記側面部４ｂの上端と同じ高さ（又は、それ以上の高さ）に、平面部分を形成してある。
この平面部分は、人が乗ることができるように、荷重を受け止めると共に、その荷重をトレー本体４に伝達して、人を安定支持できるように構成してある。この平面部分を踏み面部４ｃと言い、当該実施形態においては、平面視略三角形に形成してある。そして、図５に示すように、複数のトレー本体４を屋上Ｒの表面に沿って並設することによって、四つのトレー本体４の各踏み面部４ｃが、隣接状態に位置するように配置することができる。この場合、四つのトレー本体４の各踏み面部４ｃが合わさった形状は、図に見られるように、略正方形となり、人が乗りやすい面積となる。
【００２９】
具体的には、トレーＡそのものは、プラスチック材による一体成型によって形成してあり、前記踏み面部４ｃは、トレー本体４の該当部分を上方に膨出する形状に形成することで構成されている。従って、トレー本体４の踏み面部４ｃ下方側は、下方に開口する状態に形成されている。
【００３０】
次に、トレーＡの屋根Ｒへの固定構造について説明する。
図２、図５に示すように、屋根Ｒ上には縦横の夫々に複数のトレーＡが隣接状態に配列されており、隣り合う４個のトレーＡの四隅の面取り部間に形成される矩形空間ｋｋの内の一部の矩形空間ｋｋを利用して、固定具５によって屋根Ｒに固定してある。
【００３１】
前記固定具５は、図６〜７に示すように、塩化ビニル製の固定具本体７と、金属製の押さえ金具８とを備えて構成してある。
【００３２】
前記固定具本体７は、ベース部分７ａと、本体部分７ｂと、係止リング部材７ｃとを備えて構成してある。
前記ベース部分７ａは、円板で構成してあり、前記本体部分７ｂは、前記円板の中央部分に一体的に且つ立設状態に設けられた樹脂ボルトによって構成してある。そして、係止リング部材７ｃは、本体部分７ｂの外周部の雄ネジ部に係止自在なリング部材で構成してある。また、前記ベース部分７ａは、その下面を前記防水層１に固定されている。
また、係止リング部材７ｃについて説明すると、前記ベース部分７ａ・本体部分７ｂと同様に、合成樹脂によって構成してあり、図２、図６に示すように、リング状の本体の内周部には、薄肉の複数の係止片７ｃａを一体的に設けて構成してある。
前記各係止片７ｃａは、リング軸芯に対して一方側へ傾斜する姿勢に形成してあり、前記樹脂ボルトからなる前記本体部分７ｂの一端側から当該係止リング部材７ｃをボルト軸芯に沿って嵌合操作する際には、前記各係止片７ｃａが撓み易い係止状態となり、容易に嵌合させることが出来ながら、一度、嵌合させると、逆方向には、前記係止片７ｃａが突っ張って抜け難くなるように構成してある。
因みに、本体部分７ｂへの係止リング部材７ｃの係止作用は、本体部分７ｂの外周雄ネジ部に係止片７ｃａの先端部が係合することによって有効となる。また、本体部分７ｂから係止リング部材７ｃを取り外すには、ボルトからナットを外すのと同じ操作（前記雄ネジ部にそってボルト軸芯周りに係止リング部材７ｃを回転操作）することによって実施される。
また、本体部分７ｂに対する係止リング部材７ｃの係止位置は、自由に変更することが可能であるから、前記押さえ金具８の寸法に合わせて支持高さを好ましい値に容易に調整することができるようになる。
【００３３】
前記押さえ金具８は、図２、図７に示すように、縦断面形状が略『Ｕ』字形状に形成した帯板で構成してある。そして、トレー本体４の側面部４ｂ上縁を押さえ支持自在な押さえ部８ａが、『Ｕ』字形状の両上端部に各別に設けてあると共に、前記固定具本体７の本体部分７ｂを挿通自在な挿通孔８ｂを中央部に設けて構成してある。
従って、トレー本体４間の矩形空間ｋｋに位置する状態に固定された固定具本体７に、前記挿通孔８ｂを挿通させて、トレー本体４の側面部４ｂ上縁に前記押さえ部８ａが載置する状態に押さえ金具８を配置し、前記挿通孔８ｂから上に突出した固定具本体７の本体部分７ｂに係止リング部材７ｃを係止させながらその係止位置を下方に移動させ、押さえ金具８の挿通孔８ｂ周囲部分を押さえることで、前記押さえ金具８の押さえ部８ａがトレー本体４の側面部４ｂ上縁を押さえた状態に位置規制され、トレー本体４を固定することが可能となる。
そして、押さえ金具８は、前記矩形空間ｋｋ内で二つが交差する状態に配置され、二つの押さえ金具８によって四つのトレー本体４の隅部を固定することができる。
各トレー本体４配列の中における押さえ金具８の配置は、すべての矩形空間ｋｋに各別に配置しても良いが、本実施形態においては、図６に示すように、一つのトレー本体４における一つの対角線上に位置する二つの隅部が、前記押さえ金具８で固定されるように配置してある。
【００３４】
−第２実施形態−
以下の各実施形態では、先の実施形態と異なるところを主に説明するもので、共通する構成の説明は省略する。
図８、図９に第２実施形態による植栽構造に使用されるトレーＡが示されている。このトレーＡは、底面部２４ａと、この底面部２４ａの外周から立設された側面部２４ｂとを備えたトレー本体２４によって構成してある。
【００３５】
トレー本体２４は、平面視での四隅が面取りしてある略正方形に形成してあり、前記底面部２４ａ、側面部２４ｂで囲まれた内空部９には、上面が踏み面部２４ｃとなるレンガ（踏み面形成部材に相当）Ｄを収納自在なレンガ収納空間９ａを形成してある。そして、側面部２４ｂには、前記内空部９を仕切って前記レンガ収納空間９ａを確保自在な仕切り板１０を着脱自在な切欠き部１１を設けてある。
そして、前記切欠き部１１に前記仕切り板１０を取り付けることによって、前記内空部９は、前記レンガ収容空間９ａと、植栽部用空間９ｂとに分割される。尚、前記レンガ収容空間９ａ内にレンガＤを設置した状態では、そのレンガＤの上面が、上述のように、人が乗ることができる踏み面部２４ｃとなる。そして、レンガＤ上面の高さは、トレー本体２４の側面部２４ｂの上縁より、若干高くなるように各部の寸法を設定してある。従って、踏み面部２４ｃ上を歩行する際に、側面部２４ｂに躓き難くすることができる。
当該実施形態のトレー本体２４の配置に関して、その一例を挙げると、図９に示すとおりである。このように、隣接する各踏み面部２４ｃは、人がそれらの上を順次踏みながら歩行できるように間隔を設定して配置してある。
【００３６】
−第３実施形態−
図１０、図１１に第３実施形態の植栽構造に用いられるトレーＡが示されている。このトレーＡは、底面部３４ａと、この底面部３４ａの外周から立設された側面部３４ｂとを備えたトレー本体３４によって構成してある。
【００３７】
トレー本体３４は、平面視での四隅が面取りしてある略正方形に形成してあり、所謂、折り詰めの『折り』形状に形成してある。
そして、四つのトレー本体３４の隅が合わさる部分には、それぞれのトレー本体３４を連結自在な連結具１２が取り付けられるようにしてある。
【００３８】
前記連結具１２は、図１０、図１１に示すように、隣接する両トレー本体３４の側面部３４ｂどうしを挟み込む状態に連結自在な複数の挟持連結部１２ａと、人の荷重を受け止めると共に、その荷重をトレー本体３４に伝達して安定支持できるように構成された踏み面部１２ｂとを一体的に形成して構成してある。
連結具１２は、合成樹脂によって一体成形してあり、当該実施形態においては、正方形の板状の踏み面部１２ｂの裏面に、四つの前記挟持連結部１２ａが、各トレー本体３４の側面部３４ｂの位置に対応させた配置で一体形成してある。
挟持連結部１２ａは、図に示すように、上下逆の『Ｕ』字形状に形成してあり、対向する二つの挟持片部１２ａａの弾性復元力で、トレー本体３４の側面部３４ｂどうしを挟持連結できるように構成してある。そして、トレー本体３４に取り付けた状態においては、前記踏み面部１２ｂに作用する荷重は、踏み面部１２ｂの裏面と、挟持片部１２ａａの先端部とから、トレー本体３４にそれぞれ伝達されるように各部の寸法設定を行ってある。
【００３９】
従って、トレー本体３４に当該連結具１２を取り付けるだけで、トレー本体３４どうしの連結を行えると共に、踏み面部１２ｂを確保することができるようになり、簡単に且つ自由に踏み面部１２ｂの配置を計画することができる。
【００４０】
−第４実施形態−
図１２、図１３に第４実施形態の植栽構造に用いられるトレーＡが示されている。このトレーＡは、第３実施形態におけるトレー本体３４と同様であり、平面視での四隅が面取りしてある略正方形に形成してあり、所謂、折り詰めの『折り』形状に形成してある。
そして、四つのトレー本体３４の隅が合わさる部分に形成される前記矩形空間ｋｋに臨ませて、固定具５が設けてあり、この固定具５によって四つのトレー本体３４が固定されている。尚、この固定具５は、先の実施形態と同様に屋根Ｒに固定してある。
【００４１】
前記固定具５は、図１２、図１３に示すように、塩化ビニル製の固定具本体７と、金属製の押さえ金具１３とを備えて構成してある。
前記固定具本体７は、前記第１実施形態で説明したものと同様のものである。また、押さえ金具１３に関しては、前記矩形空間ｋｋ周囲に位置する四つのトレー本体３４上縁部に当接して押さえ支持自在な四角形板状の押さえ部（踏み面部に相当）１３ａと、固定具本体７の本体部分７ｂに外嵌自在な筒部１３ｂとを一体的に備えて構成してある。
前記押さえ部１３ａは、その中央部に貫通孔１３ｃが形成してあり、その貫通孔１３ｃに前記筒部１３ｂの上開口が一致する状態に、一体形成されている。そして、前記筒部１３ｂの下方側の内空部には、前記固定具本体７の本体部分７ｂを挿通自在で、且つ、係止リング部材７ｃで押さえ固定（又は、抜け止め）自在な鍔部１３ｄが形成してある。また、筒部１３ｂの長さ寸法は、押さえ部１３ａの下面がトレー本体３４の上縁部に当接する状態で、筒部１３ｂの下端部が、前記固定具本体７のベース部分７ａ上に当接するように寸法設定してある。
従って、押さえ部１３ａ上に作用する荷重は、押さえ部１３ａからトレー本体３４へと伝達される一方、筒部１３ｂから固定具本体７の本体部分７ｂ、屋上Ｒに伝達され、これら両者で前記荷重を支持することができる。
即ち、当該固定具５は、トレー本体３４の固定と共に、押さえ部１３ａ上に作用する荷重を支持することができるように形成してある。前記荷重は、当該実施形態においては、人の体重であり、例えば、トレーＡやその中の植栽部３のメンテナンス等の際に、前記押さえ部１３ａ上にのって作業を行ったり、歩行したりすることが可能となる。当該実施形態においては、前記押さえ部１３ａが、踏み面部となる。
【００４２】
前記トレー本体３４間の矩形空間ｋｋに位置する状態に固定された固定具本体７に、前記筒部１３ｂを挿通させて、トレー本体３４の側面部３４ｂ上縁に前記押さえ部１３ａが載置する状態に押さえ金具１３を配置し、前記筒部１３ｂ内に突出した固定具本体７の本体部分７ｂに係止リング部材７ｃを係止させながらその係止位置を下方に移動させ、鍔部１３ｄを押さえることで、前記押さえ金具１３の押さえ部１３ａがトレー本体３４の側面部３４ｂ上縁を押さえた状態に位置規制され、トレー本体４を固定することが可能となる。そして、押さえ部１３ａ上の荷重をも固定具５を介して支持することが可能となる。
ある。
【００４３】
従って、トレー本体３４に当該固定具５を取り付けるだけで、トレー本体３４の固定を行えると共に、踏み面部を確保することができるようになり、簡単に且つ自由に踏み面部の配置を計画することができる。
【００４４】
〔別実施形態〕
以下に他の実施の形態を説明する。
【００４５】
〈１〉　建物の構造は、先の実施形態で説明した鉄筋コンクリート造に限るものではなく、例えば、鉄骨造や、鉄骨鉄筋コンクリート造、又は、木造、及び、それらの複合構造等、公知の建築構造を採用することが可能である。
〈２〉　前記植栽設置面Ｒは、先の実施形態で説明した陸屋根の屋上に限るものではなく、例えば、ベランダやバルコニー、傾斜屋根等で構成してあるものであってもよい。
〈３〉　前記植栽部３は、排水マット３Ａと植栽マット３Ｂとを備えて構成してあるものに限らず、例えば、植栽マット３Ｂと他の機能を備えた層とを備えた構成や、植栽マット３Ｂのみによって構成してあるもの、客土３Ｂｃのみを入れて構成してあるものであってもよく、それらを総称して植栽部という。
〈４〉　前記固定具５は、先の実施形態で説明したベース部分７ａと本体部分７ｂとを一体に形成したものに限るものではなく、例えば、図１４に示すように、それぞれを別部材で着脱自在な構成とするものであってもよい。
また、ベース部分７ａと本体部分７ｂとの材質を異なるもので構成して、それぞれの材質が備えた長所を、ベース部分７ａ・本体部分７ｂそれぞれに生かした高機能固定具とすることが可能となる。
即ち、材質も合成樹脂に限るものではなく、金属やセラミックス、木材等で構成してあってもよい。
一方、前記押さえ金具は、先の実施形態では金属製のものを説明しているが、金属に替えて例えば合成樹脂製であってもよい。また、押さえ金具の形状変更も可能で、先の実施形態では、押さえ部１３ａの下面がトレー本体３４の上縁部に当接する状態で、筒部１３ｂの下端部が、前記固定具本体７のベース部分７ａ上に当接するような寸法設定のものを説明したが、この限りではなく、筒部１３ｂの下端部が、ベース部分７ａ上に浮いた状態となるような寸法設定や、筒部１３ｂの下端部はベース部分７ａに当接する状態で押さえ部１３ａの下面がトレー本体３４の上縁部と離間しているような寸法設定であってもよい。
〈５〉　植栽ゾーンＳに生育させる植栽物１は、先の実施形態で説明したようにセダム類の植物に限るものではなく、他の草木であってもよい。
〈６〉　前記トレーＡの形状は、先の実施形態で説明したように隅部を面取りした矩形形状に限るものではなく、四角形以外の多角形や円形等の形状を基本形状とするものであっても良い。また、トレーＡの固定手段を、前述の固定具５と異なるものを使用すれば、トレー隅部を、必ずしも面取りする必要はない。
また、図１５に示すように、トレーＡの底部に、下方に膨出形状の複数の膨出部１４を設けてあれば、その凹部に水を貯留して、植栽部の乾燥を緩和することが可能となる。更には、膨出部１４によって底部を植栽設置面Ｒと離間させることができ、トレーＡと植栽設置面Ｒとの間の水はけをよくすることが可能となる。
以上、各例を含めてトレーと総称する。
〈７〉　第１実施形態における平面視三角形の踏み面部４ｃに替えて、例えば、図１６に示すような、四角形や分割円形等であってもよい。
〈８〉　第２実施形態におけるトレーＡの仕切り板１０、切欠き部１１に替えて、図１７に示すように、底部２４ａに踏み面形成部材Ｄのズレ防止を図る突起１５を設けるものであっても良い。この構成によれば、部品点数を減らし、且つ、トレー本体２４の成形性を向上させることができるので、材料コストのダウンを図れると共に、植栽部に踏み面部を形成する作業手間をも軽減することが可能となる。
〈９〉　前記固定具や連結具は、先の各実施形態で説明した材質や形状に限定されるものではなく、他の材質や形状に変更することも可能である。
【図面の簡単な説明】
【図１】屋上の要部を示す一部切欠き斜視図
【図２】屋上の詳細を示す要部断面図
【図３】第１実施形態におけるトレーを示す斜視図
【図４】第１実施形態におけるトレーを示す断面図
【図５】第１実施形態における植栽ゾーンを示す平面図
【図６】固定具を示す分解斜視図
【図７】押さえ金具を示す分解斜視図
【図８】第２実施形態におけるトレーを示す分解斜視図
【図９】第２実施形態における植栽ゾーンを示す平面図
【図１０】第３実施形態におけるトレーの設置状況を示す分解斜視図
【図１１】第３実施形態におけるトレーの設置状況を示す要部断面図
【図１２】第４実施形態におけるトレーの設置状況を示す分解斜視図
【図１３】第４実施形態におけるトレーの設置状況を示す要部断面図
【図１４】別実施形態の固定具を示す断面図
【図１５】別実施形態のトレーを示す断面図
【図１６】別実施形態のトレーを示す上面図
【図１７】別実施形態のトレーを示す斜視図
【図１８】従来の植栽設置構造を示す断面図
【図１９】従来の植栽設置構造を示す断面図
【符号の説明】
２　　　植栽物
３　　　植栽部
４ｃ　　踏み面部
５　　　固定具
１２　　連結具
１２ｂ　踏み面部
１３ａ　踏み面部
２４ｃ　踏み面部
Ａ　　　トレー
Ｄ　　　踏み面形成部材
Ｒ　　　植栽設置面
【図１】
2004016015.tif 000003
【図２】
2004016015.tif 000004
【図３】
2004016015.tif 000005
【図４】
2004016015.tif 000006
【図５】
2004016015.tif 000007
【図６】
2004016015.tif 000008
【図７】
2004016015.tif 000009
【図８】
2004016015.tif 000010
【図９】
2004016015.tif 000011
【図１０】
2004016015.tif 000012
【図１１】
2004016015.tif 000013
【図１２】
2004016015.tif 000014
【図１３】
2004016015.tif 000015
【図１４】
2004016015.tif 000016
【図１５】
2004016015.tif 000017
【図１６】
2004016015.tif 000018
【図１７】
2004016015.tif 000019
【図１８】
2004016015.tif 000020
【図１９】
2004016015.tif 000021